(57)【要約】【課題】  小形スイッチ本体のフランジとカバー間の防水用ゴムとネジリコイルばねの役目とを併せ持つＯリングを備え、このＯリングは開閉力を調整できる小形スイッチを提供する。【解決手段】小形スイッチにおいて、小形スイッチ本体のフランジとカバー間の防水用ゴムとネジリコイルばねの役目とを併せ持つＯリング３を備え、このＯリング３は開閉力を調整できるように構成した。【選択図】  図２
2017084709.tif 000002
【特許請求の範囲】
【請求項１】
小形スイッチ本体のフランジとカバー間の防水用ゴムとネジリコイルばねの役目とを併せ持つＯリングを備え、該Ｏリングは開閉力を調整できるようにしたことを特徴とする小形スイッチ。                  
【請求項２】
請求項１記載の小形スイッチにおいて、前記Ｏリングはカバーの内側周辺に配置されるエラストマー単品であることを特徴とする小形スイッチ。
【請求項３】
請求項２記載の小形スイッチにおいて、前記エラストマー単品はカバーの内側にフック形状に引っ掛けられる階段状のＯリング掛かり部が配置されるエラストマーばね部を有することを特徴とする小形スイッチ。
【請求項４】
請求項３記載の小形スイッチにおいて、前記階段状のＯリング掛かり部を設ける前記エラストマー単品は小形スイッチ本体のフランジとカバー間の防水用Ｏリング部を有することを特徴とする小形スイッチ。
【発明の詳細な説明】
【技術分野】
【０００１】
本発明は、小形スイッチに係り、特に小形スイッチ本体のフランジとカバー間の防水用ゴムとネジリコイルばねの役目とを併せ持つＯリングを有する小形スイッチに係り、特にそのＯリングはカバーの開閉力を調整できる小形スイッチに関するものである。
【背景技術】
【０００２】
従来、小形スイッチを不意に操作することを防止するタイプの小形スイッチには、例えば、図７及び図８に示すように、カバー１０１の開閉には、単独のネジリコイルばね１０２が配置されていた。なお、１０３は小形スイッチ本体のフランジである。そして、カバーに防水機能をもたせるためには、例えば、図９〜図１１に示すように、カバー２０１にはＯリング２０２を設ける必要があった。なお、２０３は小形スイッチ本体のフランジである。
【先行技術文献】
【特許文献】
【０００３】
【特許文献１】特開昭６２−１７７８１５号公報
【特許文献２】実公平６−４３９５５号公報
【発明の概要】
【発明が解決しようとする課題】
【０００４】
しかしながら、上記したように、カバーにネジリコイルばね及びＯリングを別個に設けると、部品点数が増えると共に、工数が多くなり、その分、小形スイッチのコストが嵩むといった問題があった。また、Ｏリングにより開閉力を調整できるものではなかった。
【０００５】
本発明は、上記状況に鑑みて、小形スイッチ本体のフランジとカバー間の防水用ゴムとネジリコイルばねの役目とを併せ持つＯリングを有する小形スイッチに係り、特にそのＯリングはカバーの開閉力を調整できる小形スイッチを提供することを目的とする。
【課題を解決するための手段】
【０００６】
本発明は、上記目的を達成するために、
〔１〕小形スイッチにおいて、小形スイッチ本体のフランジとカバー間の防水用ゴムとネジリコイルばねの役目とを併せ持つＯリングを備え、このＯリングはカバーの開閉力を調整できるようにしたことを特徴とする。
【０００７】
〔２〕上記〔１〕記載の小形スイッチにおいて、前記Ｏリングはカバーの内側周辺に配置されるエラストマー単品であることを特徴とする。
【０００８】
〔３〕上記〔２〕記載の小形スイッチにおいて、前記エラストマー単品はカバーの内側にフック形状に引っ掛けられる階段状のＯリング掛かり部が配置されるエラストマーばね部を有することを特徴とする。
【０００９】
〔４〕上記〔３〕記載の小形スイッチにおいて、前記階段状のＯリング掛かり部を設ける前記エラストマー単品は小形スイッチ本体のフランジとカバー間の防水用Ｏリング部を有することを特徴とする。
【発明の効果】
【００１０】
本発明によれば、小形スイッチ本体のフランジとカバー間の防水用ゴムとネジリコイルばねの役目とを併せ持つＯリングを備えるようにしたので、部品点数が減るため、工数が低減され、その分、小形スイッチのコストを低減することができるとともに、Ｏリングは開閉力を簡便に調整することができる。
【図面の簡単な説明】
【００１１】
【図１】本発明の実施例を示す小形スイッチの外観斜視図である。
【図２】本発明の実施例を示す小形スイッチの平面図である。
【図３】本発明の実施例を示す小形スイッチのカバーが開かれた状態を示す斜視図である。
【図４】本発明の実施例を示す小形スイッチの階段状のＯリング掛かり部の拡大図である。
【図５】本発明の実施例を示す小形スイッチのカバーが閉じられた状態を示す断面図である。
【図６】本発明の実施例を示す小形スイッチのカバーが開かれた状態を示す断面図である。
【図７】従来のカバー（パネル）の開閉装置としてネジリコイルばねを有する小形スイッチの斜視図である。
【図８】従来のカバー（パネル）の開閉装置としてのネジリコイルばねの配置を示す図である。
【図９】従来のカバー（パネル）の防水装置としてＯリングを有する側面図である。
【図１０】従来のカバー（パネル）の防水装置としてＯリングの配置を示す平面図である。
【図１１】従来のカバー（パネル）の防水装置としてＯリング単品を示す図である。
【発明を実施するための形態】
【００１２】
本発明の小形スイッチは、小形スイッチ本体のフランジとカバー間の防水用ゴムとネジリコイルばねの役目とを併せ持つＯリングを備え、このＯリングは開閉力を調整できるように構成した。
【実施例】
【００１３】
以下、本発明の実施の形態について詳細に説明する。
【００１４】
図１は本発明の実施例を示す小形スイッチの外観斜視図、図２はその小形スイッチの平面図、図３はその小形スイッチのカバーが開かれた状態を示す斜視図、図４はその小形スイッチの階段状のＯリング掛かり部の拡大図、図５はその小形スイッチのカバーが閉じられた状態を示す断面図、図６はその小形スイッチのカバーが開かれた状態を示す断面図である。
【００１５】
これらの図に示すように、本発明の小形スイッチは、小形スイッチ本体のフランジ２とカバー１間の防水用ゴムとネジリコイルばねの役目とを併せ持つＯリング３を備え、このＯリング３は開閉力を調整できる階段状のＯリング掛かり部４を設けるように構成している。
【００１６】
このように、そのＯリング３はカバーの内側周辺に配置されるエラストマー単品であり、そのエラストマー単品はカバーの内側にフック形状に引っ掛けられるようにしており、そのフック形状は階段状のＯリング掛かり部４を有し、このＯリング掛かり部４の位置により、Ｏリング３の伸び率が変化し、カバー（パネル）の開閉力を調整できる。
【００１７】
なお、図２に示した小形スイッチ本体のフランジ２とカバー１間の防水用Ｏリング部３Ｂは、カバー１の形状がほぼ円形状であるので、それに対応した円形となっているが、カバー１の形状が四角形状である場合には、それに対応した角形にできることは言うまでもない。
【００１８】
また、内部防水用Ｏリング部３Ｂは、防塵、防まつ、防滴機能を有することも言うまでもない。
【００１９】
よって、本発明によれば、小形スイッチの部品点数が減るため、工数が低減され、その分、小形スイッチのコストを低減することができるとともに、簡便にカバー（パネル）の開閉力を調整することができる。
【００２０】
なお、本発明は上記実施例に限定されるものではなく、本発明の趣旨に基づき種々の変形が可能であり、これらを本発明の範囲から排除するものではない。
【産業上の利用可能性】
【００２１】
本発明の小形スイッチは、小形スイッチ本体のフランジとカバー間の防水用ゴムとネジリコイルばねの役目とを併せ持つＯリングを有するとともにカバーの開閉力を調整できるように構成した小形スイッチとして利用することができる。
【符号の説明】
【００２２】
１  カバー（透明）
２  フランジ
３  Ｏリング（エラストマー単品）
３Ａ  エラストマーばね部
３Ｂ  小形スイッチ本体のフランジとカバー間の防水用Ｏリング部
４  階段状のＯリング掛かり部
【図１】
2017084709.tif 000003
【図２】
2017084709.tif 000004
【図３】
2017084709.tif 000005
【図４】
2017084709.tif 000006
【図５】
2017084709.tif 000007
【図６】
2017084709.tif 000008
【図７】
2017084709.tif 000009
【図８】
2017084709.tif 000010
【図９】
2017084709.tif 000011
【図１０】
2017084709.tif 000012
【図１１】
2017084709.tif 000013